(57)【要約】【課題】複数のバッテリユニットを用いる場合に各バッテリユニットの状態に応じた出力制御が可能な電源装置を提供する。【解決手段】低電圧用アダプタからは、電池パック３１ａ,３１ｂは並列接続による合成電圧１８Ｖが出力されるとともに、保護基板組３９ａ,３９ｂの駆動制限信号の論理積が出力される。すなわち、電池パック３１ａ,３１ｂの並列接続時は、双方の電池パック３１ａ,３１ｂが異常であれば駆動制限信号が電動工具側に出力される。そして、電池パック３１ａ,３１ｂの一方のみから駆動制限信号が出力されたときは、正常な他方の電池パックから電動工具側への通電を継続する。【選択図】図３
2014017954.tif 000002
【特許請求の範囲】
【請求項１】
各々が保護手段を有し、かつ相互に並列接続された複数のバッテリユニットを備え、前記複数のバッテリユニットの出力電圧を利用して電動工具に通電する電源装置であって、
一部の列のバッテリユニットの保護手段が駆動制限信号を発信し、かつ他の列のバッテリユニットの保護手段は駆動制限信号を発信していないときは、前記一部の列のバッテリユニットからの通電を停止する一方、前記他の列のバッテリユニットから電動工具に通電する、電源装置。
【請求項２】
各々が保護手段を有し、かつ相互に並列接続された複数のバッテリユニットを備え、前記複数のバッテリユニットの出力電圧を利用して電動工具に通電する電源装置であって、
各列のバッテリユニットの電流経路に対して設けられた駆動制限手段を有し、
各々の保護手段は、自身の列のバッテリユニットの電流経路に設けられた駆動制限手段により異常時に自身の列のバッテリユニットからの通電を停止する、電源装置。
【請求項３】
前記複数のバッテリユニットと電動工具との間に設けられ、前記複数のバッテリユニットを並列接続すると共に前記駆動制限手段を有するアダプタを備える、請求項２に記載の電源装置。
【請求項４】
前記電源装置は、接続手段により、前記複数のバッテリユニットの直列接続と、並列接続が選択され、前記複数のバッテリユニットが直列接続しているときは、少なくともいずれかのバッテリユニットの保護手段が駆動制限信号を発信すると電動工具への通電を停止する、請求項１又は２に記載の電源装置。
【請求項５】
電動工具及び前記電動工具とは別の第２の電気機器に通電する電源装置であって、前記複数のバッテリユニットが並列接続している構成において、少なくとも一部の列のバッテリユニットの保護手段が駆動制限信号を発信しているときは、前記電動工具に通電し、前記第２の機器への通電を停止する、請求項３又は４に記載の電源装置。
【請求項６】
電動工具及び前記電動工具とは別の第２の電気機器に通電する電源装置であって、前記複数のバッテリユニットが並列接続している構成において、少なくとも一部の列のバッテリユニットの保護手段が駆動制限信号を発信しているときは、前記電動工具に通電し、かつ、モード切替スイッチが第１の状態であれば前記第２の機器への通電を停止し、モード切替スイッチが第２の状態であれば前記第２の機器に通電する、請求項３又は４に記載の電源装置。
【請求項７】
各バッテリユニットの保護手段からの駆動制限信号に所定の論理演算を実行する論理回路を備える請求項１から６のいずれか一項に記載の電源装置。
【請求項８】
各バッテリユニットの保護手段からの駆動制限信号の有無を報知する報知手段を備える請求項１から７のいずれか一項に記載の電源装置。
【請求項９】
本電源装置に電気機器を接続するためのアダプタを備え、前記アダプタに前記報知手段が設けられている、請求項８に記載の電源装置。
【請求項１０】
背負い式の電源装置であって、電気機器とは別に冷却手段を備える、請求項１から９のいずれか一項に記載の電源装置。
【請求項１１】
各々が保護手段を有し、かつ相互に直列接続された複数のバッテリユニットを備え、前記複数のバッテリユニットの出力電圧を利用して電動工具に通電する電源装置であって、
少なくともいずれかのバッテリユニットの保護手段が駆動制限信号を発信すると出力を停止する、電源装置。
【請求項１２】
バッテリユニットを備え、前記バッテリユニットの出力電圧を利用して電動工具、及び、電動工具よりも出力の小さな電気機器にそれぞれ通電する端子を有する、電源装置。
【請求項１３】
前記電源装置は、前記バッテリユニットの定格電圧に対する実際の出力電圧の割合が所定値を下回ると、前記バッテリユニットから前記電動工具への通電を維持する一方、前記バッテリユニットから前記電気機器への通電は停止する、請求項１２に記載の電源装置。
【請求項１４】
背負い式の電源装置であって、電動工具と接続される出力部と、電源装置の周囲を換気する手段を備える、電源装置。
【請求項１５】
前記換気する手段は本電源装置の背当て部を通風する請求項１４に記載の電源装置。
【請求項１６】
前記換気する手段がファンを含む請求項１４又は１５に記載の電源装置。
【請求項１７】
前記ファンが本電源装置の背当てパット部に設けられている請求項１６に記載の電源装置。
【請求項１８】
前記ファンが腰当てベルトに設けられている請求項１６に記載の電源装置。
【請求項１９】
前記ファンが本電源装置の肩掛けベルト部に設けられている請求項１６に記載の電源装置。
【請求項２０】
背負い式の電源装置であって、電動工具と接続される出力部と、電源装置の周囲を加熱又は冷却する手段を備える、電源装置。
【請求項２１】
前記加熱又は冷却する手段が電熱線、あるいは、ペルチェ素子を含む請求項２０に記載の電源装置。
【請求項２２】
前記電熱線、あるいは、ペルチェ素子が本電源装置の背当てパット部に設けられる請求項２１に記載の電源装置。
【発明の詳細な説明】
【技術分野】
【０００１】
本発明は、バッテリ電圧を利用して電気機器に通電する電源装置に関する。
【背景技術】
【０００２】
近年、バッテリパック（バッテリユニット）を用いたコードレスタイプの電動工具が広く用いられている。コードレスタイプの電動工具で広く用いられるリチウムイオン二次電池の電池セル１本の出力電圧は例えば３.６Ｖ、容量は１Ａｈから２Ａｈ程度と少ないため、複数の電池セルを直列に接続して７.２Ｖ、１０.８Ｖ、１４.４Ｖ、１８Ｖ、２５.２Ｖ、３６Ｖ等と出力電圧を高くしたり、１Ａｈの電池セルを２本並列に接続して２Ａｈや４本並列に接続して４Ａｈ等と容量を大きくする手法が用いられる。
【０００３】
コードレスタイプの電動工具は、電池電圧が高くなると高出力となるため、高容量の電池パックでなければすぐに容量がなくなってしまう。しかし、高電圧・高容量の電池パックは電池セルを数十本から数百本、直列や並列に接続する必要があり、重量が重くなったり、コードレスタイプの電動工具に直接接続できる大きさではなくなってしまう。そこで、高電圧・高容量の電池パックを工具と分離した電源装置とし、コードレスタイプの電動工具には、電源装置から接続アダプタを介して接続するシステムが考案されている（下記特許文献１，２）。
【先行技術文献】
【特許文献】
【０００４】
【特許文献１】実開平３−６２７８３号公報
【特許文献２】実開平７−３９８３号公報
【発明の概要】
【発明が解決しようとする課題】
【０００５】
複数のバッテリユニットからなる電源装置を用いる場合、各バッテリユニットの残容量率は一定とは限らないため、各バッテリユニットの状態に応じた出力制御が必要となる。また、複数の電気機器に通電する場合、電動工具等、メインの電気機器への通電時間を長く確保することが求められる。さらに、高電圧・高容量の電池パックは大型であるため、装着する使用者の負担軽減が求められている。
【０００６】
本発明はこうした状況を認識してなされたものであり、その第１の目的は、複数のバッテリユニットが内蔵された電源装置を用いる場合に、各バッテリユニットの状態に応じた出力制御が可能な電源装置を提供することにある。また、本発明の第２の目的は、複数の電気機器に通電する場合にメインの電気機器への通電時間を長く確保することの可能な電源装置を提供することにある。さらに、本発明の第３の目的は、バッテリユニットの装着に伴う作業者の不快感を低減することの可能な背負い式の電源装置を提供することにある。
【課題を解決するための手段】
【０００７】
本発明のある態様は、電源装置である。この電源装置は、
各々が保護手段を有し、かつ相互に並列接続された複数のバッテリユニットを備え、前記複数のバッテリユニットの出力電圧を利用して電動工具に通電する電源装置であって、
一部の列のバッテリユニットの保護手段が駆動制限信号を発信し、かつ他の列のバッテリユニットの保護手段は駆動制限信号を発信していないときは、前記一部の列のバッテリユニットからの通電を停止する一方、前記他の列のバッテリユニットから電動工具に通電する。
【０００８】
本発明のもう１つの態様は、電源装置である。この電源装置は、
各々が保護手段を有し、かつ相互に並列接続された複数のバッテリユニットを備え、前記複数のバッテリユニットの出力電圧を利用して電動工具に通電する電源装置であって、
各列のバッテリユニットの電流経路に対して設けられた駆動制限手段を有し、
各々の保護手段は、自身の列のバッテリユニットの電流経路に設けられた駆動制限手段により異常時に自身の列のバッテリユニットからの通電を停止する。
【０００９】
前記複数のバッテリユニットと電動工具との間に設けられ、前記複数のバッテリユニットを並列接続すると共に前記駆動制限手段を有するアダプタを備えてもよい。
【００１０】
前記電源装置は、接続手段により、前記複数のバッテリユニットの直列接続と、並列接続が選択され、前記複数のバッテリユニットが直列接続しているときは、少なくともいずれかのバッテリユニットの保護手段が駆動制限信号を発信すると電動工具への通電を停止してもよい。
【００１１】
電動工具及び前記電動工具とは別の第２の電気機器に通電する電源装置であって、前記複数のバッテリユニットが並列接続している構成において、少なくとも一部の列のバッテリユニットの保護手段が駆動制限信号を発信しているときは、前記電動工具に通電し、前記第２の機器への通電を停止してもよい。
【００１２】
電動工具及び前記電動工具とは別の第２の電気機器に通電する電源装置であって、前記複数のバッテリユニットが並列接続している構成において、少なくとも一部の列のバッテリユニットの保護手段が駆動制限信号を発信しているときは、前記電動工具に通電し、かつ、モード切替スイッチが第１の状態であれば前記第２の機器への通電を停止し、モード切替スイッチが第２の状態であれば前記第２の機器に通電してもよい。
【００１３】
各バッテリユニットの保護手段からの駆動制限信号に所定の論理演算を実行する論理回路を備えてもよい。
【００１４】
各バッテリユニットの保護手段からの駆動制限信号の有無を報知する報知手段を備えてもよい。
【００１５】
本電源装置に電気機器を接続するためのアダプタを備え、前記アダプタに前記報知手段が設けられてもよい。
【００１６】
背負い式の電源装置であって、電気機器とは別に冷却手段を備えてもよい。
【００１７】
本発明のもう１つの態様は、電源装置である。この電源装置は、
各々が保護手段を有し、かつ相互に直列接続された複数のバッテリユニットを備え、前記複数のバッテリユニットの出力電圧を利用して電動工具に通電する電源装置であって、
少なくともいずれかのバッテリユニットの保護手段が駆動制限信号を発信すると出力を停止する。
【００１８】
本発明のもう１つの態様は、電源装置である。この電源装置は、バッテリユニットを備え、前記バッテリユニットの出力電圧を利用して電動工具、及び、電動工具よりも出力の小さな電気機器にそれぞれ通電する端子を有する。
【００１９】
前記電源装置は、前記バッテリユニットの定格電圧に対する実際の出力電圧の割合が所定値を下回ると、前記バッテリユニットから前記電動工具への通電を維持する一方、前記バッテリユニットから前記電気機器への通電は停止してもよい。
【００２０】
本発明のもう１つの態様は、電源装置である。この電源装置は、背負い式の電源装置であって、電動工具と接続される出力部と、電源装置の周囲を換気する手段を備える。
【００２１】
前記換気する手段は本電源装置の背当て部を通風してもよい。
【００２２】
前記換気する手段がファンを含んでもよい。
【００２３】
前記ファンが本電源装置の背当てパット部に設けられてもよい。
【００２４】
前記ファンが腰当てベルトに設けられてもよい。
【００２５】
前記ファンが本電源装置の肩掛けベルト部に設けられてもよい。
【００２６】
本発明のもう１つの態様は、電源装置である。この電源装置は、背負い式の電源装置であって、電動工具と接続される出力部と、電源装置の周囲を加熱又は冷却する手段を備える。
【００２７】
前記加熱又は冷却する手段が電熱線、あるいは、ペルチェ素子を含んでもよい。
【００２８】
前記電熱線、あるいは、ペルチェ素子が本電源装置の背当てパット部に設けられてもよい。
【００２９】
なお、以上の構成要素の任意の組合せ、本発明の表現を方法やシステムなどの間で変換したものもまた、本発明の態様として有効である。
【発明の効果】
【００３０】
本発明によれば、複数のバッテリユニットを用いる場合に各バッテリユニットの状態に応じた出力制御が可能な電源装置、複数の電気機器に通電する場合に電動工具等のメインの電気機器への通電時間を長く確保することの可能な電源装置、あるいは、バッテリユニットの装着に伴う作業者の不快感を低減することの可能な背負い式の電源装置を実現可能である。
【図面の簡単な説明】
【００３１】
【図１】本発明の実施の形態に係る電源装置１を用いた電源供給システムの全体構成図。
【図２】電源装置１と外部機器とを接続する接続端子部の正面図。
【図３】電源装置１の回路図。
【図４】図２に示されるメイン放電端子２１の拡大正面図。
【図５】メイン放電端子２１に接続される低電圧用アダプタ８１及び高電圧用アダプタ９１の拡大正面図。
【図６】高電圧用アダプタ９１の内部回路図。
【図７】低電圧用アダプタ８１の内部回路図（その１）。
【図８】低電圧用アダプタ８１の内部回路図（その２）。
【発明を実施するための形態】
【００３２】
以下、図面を参照しながら本発明の好適な実施の形態を詳述する。なお、各図面に示される同一または同等の構成要素、部材等には同一の符号を付し、適宜重複した説明は省略する。また、実施の形態は発明を限定するものではなく例示であり、実施の形態に記述されるすべての特徴やその組み合わせのみが発明の本質的なものであるとは限らない。
【００３３】
図１は、本発明の実施の形態に係る電源装置１を用いた電源供給システムの全体構成図である。図２は、電源装置１と外部機器とを接続する接続端子部の正面図である。本図に示す接続端子部は、例えば図１の電源装置１のハウジング１１の下面に設けられる。図３は、電源装置１のハウジング１１の内部の回路図である。図４は、図２に示されるメイン放電端子２１の拡大正面図である。図５は、メイン放電端子２１に接続される低電圧用アダプタ８１及び高電圧用アダプタ９１の拡大正面図である。図６は、高電圧用アダプタ９１の内部回路図である。図７は、低電圧用アダプタ８１の内部回路図（その１）である。図８は、低電圧用アダプタ８１の内部回路図（その２）である。
【００３４】
図１に示すように、電源装置１は、背負い式であり、バッテリユニットとしての電池パック３１ａ,３１ｂ（図３）を収納するハウジング１１には、肩掛けベルト６と、肩掛けベルト６を安定して体の胸部に固定するための肩掛けベルト固定ベルト１０と、背当て部としての背あてパット９と、左右の腰あてパット２と、左右の腰あてパット２を安定して体の腰部に固定するための腰あてパット固定ベルト５とが取り付けられている。ここで、背当てパット９と左右の腰当てパット２は、一つの構成部品として形成されたもの、いわゆる背負子状の形状であってもよい。
【００３５】
図２に示すように、電源装置１は、電源スイッチ２０と、メイン放電端子２１と、充電端子２８と、ＬＥＤ等の報知手段２７ａ,２７ｂと、モード切替スイッチ２６と、オプション機能接続端子２３（オプション用放電端子）と、汎用出力ソケット２４（変圧出力端子）とを備える。電源スイッチ２０は、電源装置１のオンオフスイッチである。メイン放電端子２１は、図１に示す低電圧電動工具７ａ又は高電圧電動工具７ｂを選択的に接続する端子である。充電端子２８は、不図示の充電器を接続して電源装置１の電池パック３１ａ,３１ｂ（図３）を充電するための端子である。ＬＥＤ等の報知手段２７ａ,２７ｂは、電池パック３１ａ,３１ｂの状態を使用者に報知するものであり、電池パック３１ａ,３１ｂからの出力の有無により、例えば点灯・非点灯が切り替わる。モード切替スイッチ２６は、電池パック３１ａ,３１ｂのいずれかの保護回路が働いた場合（たとえば、残容量不足等）のオプション機能接続端子２３及び汎用出力ソケット２４の出力停止・維持を切り替える。オプション機能接続端子２３は、低電圧電動工具７ａ又は高電圧電動工具７ｂとは別の電気機器を接続するために設けられる。汎用出力ソケット２４は、カー用品等の１２Ｖ機器、あるいは、ＵＳＢ等の汎用の電力供給端子により駆動する小型電気機器の接続を可能にするための端子である。
【００３６】
図３に示すように、電池パック３１ａ,３１ｂはそれぞれ、内部に複数の電池セル３３を定格電圧、一例として１８Ｖになる様に直列（単セル３.６Ｖの場合は５本直列）に接続し、容量を高くするために電池セル３３の直列接続を複数並列に接続したものである。電池パック３１ａ,３１ｂは、充電・過充電・過放電・過電流等の異常を監視するための機能を備えた保護基板組３９ａ,３９ｂを搭載している。図４及び図６〜図８に示すように、電池パック３１ａ,３１ｂのプラス極３４ａ,３４ｂ及びマイナス極３５ａ,３５ｂと、保護基板組３９ａ,３９ｂの駆動制限信号出力端子３６ａ,３６ｂとが、図３に示す内部配線によりメイン放電端子２１に導出され、例えば接続用穴部としてハウジング１１の下面に臨んでいる。保護基板組３９ａ,３９ｂは、例えば、電池パック３１ａ,３１ｂの過放電等の異常時にはハイレベルの駆動制限信号を信号出力端子３６ａ,３６ｂに出力し、正常時にはローレベルの信号を信号出力端子３６ａ,３６ｂに出力する構成、あるいは、その逆の信号組を出力する構成である。
【００３７】
図１に示すように、低電圧用アダプタ８１は、アダプターケーブル１０３ａ及び低電圧工具側アダプタ８５により低電圧電動工具７ａに接続されている。また、高電圧用アダプタ９１は、アダプターケーブル１０３ｂ及び高電圧工具側アダプタ９５により高電圧電動工具７ｂに接続されている。図５に示すように、低電圧用アダプタ８１及び高電圧用アダプタ９１は、メイン放電端子２１の各端子（接続用穴部）に接続する端子５１ａ〜５３ａ，５１ｂ〜５３ｂ（ピン状）を有する。
【００３８】
図６に示すように、高電圧用アダプタ９１（例えば、３６Ｖ用）は、電池パック３１ａのプラス極３４ａをプラス出力端子９２に接続し、また電池パック３１ｂのマイナス極３５ｂをマイナス出力端子９３に接続し、また電池パック３１ｂのプラス極３４ｂと電池パック３１ａのマイナス極３５ａを相互に接続し、さらに保護基板組３９ａ,３９ｂの駆動制限信号出力端子３６ａ,３６ｂをＯＲゲート９０１の入力とし、ＯＲゲート９０１の出力端子をＬＤ出力端子９４に接続する。これにより、高電圧用アダプタ９１からは、電池パック３１ａ,３１ｂは直列接続による合成電圧（３６Ｖ）が出力されるとともに、保護基板組３９ａ,３９ｂの駆動制限信号の論理和が出力される。すなわち、電池パック３１ａ,３１ｂの直列接続時は、少なくともいずれかの電池パック３１ａ,３１ｂが異常であれば駆動を制限する信号が電動工具側に出力される。このとき、駆動制限信号を発信している保護基板組３９ａ,３９ｂが電池パック３１ａ,３１ｂからの電流出力を直接遮断してもよいし、そうした機能が無い場合には、駆動制限信号を受信した電動工具側において電池パック３１ａ,３１ｂからの電流を遮断してもよい。
【００３９】
図７に示すように、低電圧用アダプタ８１（例えば、１８Ｖ用）は、電池パック３１ａ,３１ｂのプラス極３４ａ,３４ｂをプラス出力端子８２に接続し、またマイナス極３５ａ,３５ｂをマイナス出力端子８３に接続し、さらに保護基板組３９ａ,３９ｂの駆動制限信号出力端子３６ａ,３６ｂをＡＮＤゲート８０１の入力とし、ＡＮＤゲート８０１の出力端子をＬＤ出力端子８４に接続する。これにより、低電圧用アダプタ８１からは、電池パック３１ａ,３１ｂは並列接続による合成電圧（１８Ｖ）が出力されるとともに、保護基板組３９ａ,３９ｂの駆動制限信号の論理積が出力される。すなわち、電池パック３１ａ,３１ｂの並列接続時は、双方の電池パック３１ａ,３１ｂが異常の時に駆動制限信号が電動工具側に出力される。そして、電池パック３１ａ,３１ｂの一方のみが異常のときは、正常な他方の電池パックから電動工具側への通電を継続する。このとき、保護基板組３９ａ,３９ｂのうち駆動制限信号を発信している保護基板が自身の電池パックからの電流出力を直接遮断してもよいし、そうした機能が無い場合には図８に示すように、低電圧用アダプタ８１に駆動制限用スイッチ（スイッチング素子）８０２,８０３を設けておき、駆動制限用スイッチ８０２,８０３を駆動制限信号によりオフしてもよい。
【００４０】
このように、電源装置１では、低電圧用アダプタ８１及び高電圧用アダプタ９１を接続するメイン放電端子２１までは２系統の低電圧（１８Ｖ）出力として供給し、低電圧用アダプタ８１又は高電圧用アダプタ９１の結線（内部回路）により１系統の低電圧（１８Ｖ）又は高電圧（３６Ｖ）に変換して低電圧電動工具７ａ又は高電圧電動工具７ｂに供給する。すなわち、電源装置１では、アダプタを変えるだけでメイン放電端子２１から低電圧（１８Ｖ）,高電圧（３６Ｖ）の２種類の電圧を出力可能である。一例として、電池パック３１ａ,３１ｂがそれぞれ定格１８Ｖ,５Ａｈであれば、低電圧用アダプタ８１（１８Ｖ）による使用時は１０Ａｈの容量となり、高電圧用アダプタ９１（３６Ｖ）による使用時は５Ａｈの容量となる。
【００４１】
図１に示すように、腰あてパット２には、オプション機器としての作業者の体を冷却する冷却手段としてのファン３が実装されている。ファン３は、オプション機能接続端子２３を介して電池パック３１ａ,３１ｂから、例えば１８Ｖで通電される。ファン３は、外気を取り込み作業者の背中部分にこもった熱を排熱するためのものである。ファン３の稼働／非稼働は、腰あてパット２に設けられたファン電源スイッチ４により作業者が切替え可能である。これによれば、電池パック３１ａ,３１ｂの発熱等に伴う作業者の不快感を低減することができる。ファン３は、ハウジング１１の上部において例えば背あてパット９に設けられてもよい。なお、冷却手段としては、ファン３に替えて又はそれに加えて、ペルチェ素子を例えば背あてパット９に設けてもよい。電池パック３１ａ,３１ｂを収納したハウジング１１と作業者の背中との間に背中側が吸熱面（冷却面）となるようにペルチェ素子を配置することで、電池パック３１ａ,３１ｂの発熱等に伴う作業者の不快感を低減することができる。また、電池パック３１ａ,３１ｂを収納したハウジング１１と作業者の背中との間に背中側が過熱面となるようにペルチェ素子を設けることや、電熱線を配置することで、寒冷地において、作業者を加温する構成も採用可能である。
【００４２】
図１に示すように、電源装置１には、汎用小型電気機器８が接続されている。図３に示すように汎用出力ソケット２４には電池パック３１ａ,３１ｂの電圧（ここでは並列接続による電圧１８Ｖ）を降圧する変圧回路２５の出力電圧が出力されており、汎用電気機器８は出力ソケット２４を介して電池パック３１ａ,３１ｂから通電される。汎用電気機器８は、安価に入手できる例えば１２Ｖタイプのカー用品や、ＵＳＢ機器等であり、クリーナ，ＬＥＤライト，ポリッシャ，携帯電話等、あるいは、汎用のインバータ等がある。ここで、１２Ｖタイプのカー用品を用いる場合、自動車から電源を取ると、自動車のエンジンをかけた状態で使用しないとバッテリあがりを招いたり、１２Ｖタイプのカー用品のケーブルが短いことで作業がしにくい等の煩わしさがある。これに対し本実施の形態のように電源装置１に汎用出力ソケット２４を設けて１２Ｖタイプのカー用品を用いれば、そうした煩わしさを解消できるとともに、電池パック３１ａ,３１ｂを充電しておけば携帯電話等の充電/給電や汎用のインバータ等を駆動し１００Ｖを供給する電源とする事が可能となる等、緊急用の電源としても有用である。
【００４３】
なお、ファン３及び汎用小型電気機器８は、電池パック３１ａ,３１ｂのいずれかが異常になるとオフになるオプション節電モードと、電池パック３１ａ,３１ｂの双方が異常になるとオフになるオプション非節電モードとを、モード切替スイッチ２６により切替可能である。オプション節電モードでは、ＯＲゲート２６１の出力信号（保護基板組３９ａ,３９ｂからの駆動制限信号の論理和）がモード制御部２９及び変圧回路２５に出力され、オプション非節電モードでは、ＡＮＤゲート２６２の出力信号（保護基板組３９ａ,３９ｂからの駆動制限信号の論理積）がモード制御部２９及び変圧回路２５に出力される。オプション非節電モードでは、電池パック３１ａ,３１ｂの一方のみが異常のときは、正常な他方の電池パックからファン３及び汎用小型電気機器８への通電を継続する（モード制御部２９及び変圧回路２５はオプション機能接続端子２３及び汎用出力ソケット２４への電圧出力を継続する）。このとき、保護基板組３９ａ,３９ｂのうち駆動制御信号を発信しているものが自身の電池パックからの電流出力を遮断する。オプション節電モードでは、電池パック３１ａ,３１ｂの少なくとも一方が出力停止になると、ファン３又は汎用小型電気機器８の少なくとも一方への通電を停止する（モード制御部２９及び変圧回路２５はオプション機能接続端子２３又は汎用出力ソケット２４の少なくとも一方への電圧出力を遮断する）。
【００４４】
本実施の形態によれば、下記の効果を奏することができる。
【００４５】
(1) 電池パック３１ａ,３１ｂの直列接続時は、少なくともいずれかの電池パック３１ａ,３１ｂの保護回路が駆動した場合に電動工具等への通電を停止するので、電池パックに過負荷が加わることを防止できる。
【００４６】
(2) 電池パック３１ａ,３１ｂの並列接続時は、電池パック３１ａ,３１ｂの一方の出力が制限された場合でも正常な他方の電池パックから電動工具等への通電を継続するため、通電可能時間を長く確保できる。
【００４７】
(3) 電動工具とは別にオプション機能接続端子２３に冷却手段を接続しているため、電池パック３１ａ,３１ｂの発熱等に伴う作業者の不快感を低減することができる。
【００４８】
(4) 安価に入手できる１２Ｖタイプのカー用品やＵＳＢ機器に通電可能な汎用出力ソケット２４を設けており、利便性が高く、また電源装置としての汎用性が高い。
【００４９】
(5) 電池パック３１ａ,３１ｂのいずれかの保護回路が起動した場合、ファン３又は汎用小型電気機器８の少なくとも一方への通電を停止するオプション節電モードを搭載しており、メインの電動工具への通電可能時間を長く確保できる。一方、電池パック３１ａ,３１ｂの双方の出力が停止するまでファン３及び汎用電気機器８への通電を継続するオプション非節電モードも選択可能であり、作業者のニーズに柔軟に対応できる。
【００５０】
(6)ＬＥＤ等の報知手段２７ａ,２７ｂにより電池パック３１ａ,３１ｂの状態を作業者に報知するため、作業者は電池パック３１ａ,３１ｂの状態を常に把握することができて便利である。
【００５１】
以上、実施の形態を例に本発明を説明したが、実施の形態の各構成要素や各処理プロセスには請求項に記載の範囲で種々の変形が可能であることは当業者に理解されるところである。以下、変形例について触れる。
【００５２】
実施の形態のオプション節電モードを、電池パックが一つだけの場合に適用する場合、定格電圧に対する実際の出力電圧の割合（残容量割合）が所定値を下回ると電池パックから電動工具への通電を維持する一方、電池パックからファン３又は汎用電気機器８の少なくとも一方への通電を停止する構成としてもよい。
【００５３】
ＬＥＤ等の報知手段２７ａ,２７ｂは、ハウジング１１側に代えて、又はそれに加えて、肩掛けベルト６や腰あてパット２、もしくは、低電圧工具側アダプタ８５や高電圧工具側アダプタ９５に設けてもよく、また、アラーム等、他の任意の報知手段を採用、又は併用する構成であってもよい。
【符号の説明】
【００５４】
１  電源装置、２  腰あてパット、５  腰あてパット固定ベルト、６  肩掛けベルト、７ａ  低電圧電動工具、７ｂ  高電圧電動工具、９  背あてパット、１０  肩掛けベルト固定ベルト、１１  ハウジング、２０  電源スイッチ、２１  メイン放電端子、２３  オプション機能接続端子、２４  汎用出力ソケット、２６  モード切替スイッチ、２７ａ,２７ｂ  ＬＥＤ、２８  充電端子、３１ａ,３１ｂ  電池パック、３９ａ,３９ｂ  保護基板組、８１  低電圧用アダプタ、８５  低電圧工具側アダプタ、９１  高電圧用アダプタ、９５  高電圧工具側アダプタ
【図１】
2014017954.tif 000003
【図２】
2014017954.tif 000004
【図３】
2014017954.tif 000005
【図４】
2014017954.tif 000006
【図５】
2014017954.tif 000007
【図６】
2014017954.tif 000008
【図７】
2014017954.tif 000009
【図８】
2014017954.tif 000010